(57)【要約】  技術間ネットワークにおいてモビリティをサポートするための様々な実施形態について記載する。そのようなネットワーク（例えば、３００）には、様々なアクセス技術を利用する、またあるいはカバレッジエリアが重なり合うが整合してはいない、複数の相互接続されたアクセスネットワークが含まれる。従来技術では、リモートユニットは、１つのサービスカバレッジエリアまたは登録領域から次のサービスカバレッジエリアまたは登録領域へ移動するとき、様々なアクセスネットワークの各々について、登録シグナリングを発信する。対照的に、本発明の実施形態ではネットワークが発信するシグナリングを利用して、複数のアクセスネットワークのうちの１つ（例えば、１２０〜１２２）が認識されるが他のアクセスネットワーク（例えば、１３０，１３１，１３３）は認識されない場合もあるモビリティイベントに関し、重なり合うネットワーク／ネットワークノードを更新する。
2010504038.tif 000002
【特許請求の範囲】
【請求項１】
技術間ネットワークにおいてモビリティをサポートする方法であって、
第２のネットワークノードがシグナリングを実行し、第１のネットワークノードから第２のネットワークノードへリモートユニットを伴うサービスのハンドオフを行うシグナリング工程と、
第２のネットワークノードが第３のネットワークノードへ、前記ハンドオフに関連したシグナリングの結果、現在では第２のネットワークノードがリモートユニットにアクセスネットワークサービスを提供していることを示す提供指示工程と、
第２のネットワークノードは、第３のネットワークノードが利用するのとは異なるアクセスネットワーク技術を用いて、リモートユニットにアクセスネットワークサービスを提供することと、からなる方法。
【請求項２】
提供指示工程は、第３のネットワークノードへ、現在では第２のネットワークノードがリモートユニットにアクセスネットワークサービスを提供していることを通知することを含む請求項１に記載の方法。
【請求項３】
提供指示工程は、第２のネットワークノードへの移動体登録を示すメッセージを第３のネットワークノードへ送信することを含む請求項２に記載の方法。
【請求項４】
第１のネットワークノードおよび第２のネットワークノードは各々回線ネットワークノードを含むことと、
第３のネットワークノードはパケットネットワークノードを含むことと、
シグナリング工程は、第２のネットワークノードがシグナリングを実行し、第１のネットワークノードから第２のネットワークノードへリモートユニットの回線サービスのハンドオフを行うことを含むことと、を含む請求項１に記載の方法。
【請求項５】
現在では第２のネットワークノードがリモートユニットにアクセスネットワークサービスを提供していることを示すインジケーションを第３のネットワークノードが受信する工程と、
第３のネットワークノードが、インジケーションの受信に応答して、回線ネットワークベースのサービス通知のためにリモートユニットを第２のネットワークノードに関連付ける工程と、を含む請求項４に記載の方法。
【請求項６】
現在では第２のネットワークノードがリモートユニットにアクセスネットワークサービスを提供していることを示すインジケーションを第３のネットワークノードが受信する工程と、
第３のネットワークノードが、インジケーションの受信に応答して、以前にリモートユニットにアクセスネットワークサービスを提供していたパケットネットワークノードからリモートユニットへ、リモートユニットのセッション／コンテキストの転送を開始する工程と、を含む請求項１に記載の方法。
【請求項７】
第１のネットワークノードおよび第２のネットワークノードは各々パケットネットワークノードを含むことと、
第３のネットワークノードは回線ネットワークノードを含むことと、
シグナリング工程は、第２のネットワークノードがシグナリングを実行し、第１のネットワークノードから第２のネットワークノードへリモートユニットのアクティブパケットデータサービス、ドーマントパケットデータサービスおよびアイドルパケットデータサービスのうちの１つ以上のハンドオフを行うことを含むことと、を含む請求項１に記載の方法。
【請求項８】
現在では第２のネットワークノードがリモートユニットにアクセスネットワークサービスを提供していることを示すインジケーションを第３のネットワークノードが受信する工程と、
第３のネットワークノードが、インジケーションの受信に応答して、パケットネットワークベースのサービスのためにリモートユニットを第２のネットワークノードに関連付ける工程と、を含む請求項７に記載の方法。
【請求項９】
シグナリング工程は、第２のネットワークノードがシグナリングを実行し、第１のネットワークノードから第２のネットワークノードへのリモートユニットのセッション／コンテキストの転送をサポートすることを含む請求項１に記載の方法。
【請求項１０】
技術間ネットワークにおいてモビリティをサポートする方法であって、
第１のネットワークノードが、
シグナリングを実行して第１のネットワークノードから第２のネットワークノードへリモートユニットを伴うサービスのハンドオフを行うこと、および、
もはや第１のネットワークノードがリモートユニットにアクセスネットワークサービスを提供していないことを検出すること、のうちの一方を実行する実行工程と、
第１のネットワークノードが第３のネットワークノードへ、前記シグナリングおよび検出のうちの一方の実行の結果、もはや第１のネットワークノードがリモートユニットにアクセスネットワークサービスを提供していないことを示す非提供指示工程と、
第１のネットワークノードは、第３のネットワークノードが利用するのとは異なるアクセスネットワーク技術を用いて、リモートユニットにアクセスネットワークサービスを提供することと、からなる方法。
【請求項１１】
非提供指示工程は、第３のネットワークノードへ、もはや第１のネットワークノードがリモートユニットにアクセスネットワークサービスを提供していないことを通知することを含む請求項１０に記載の方法。
【請求項１２】
非提供指示工程は、第１のネットワークノードからの移動体登録の抹消を示すメッセージを第３のネットワークノードへ送信することを含む請求項１１に記載の方法。
【請求項１３】
第１のネットワークノードおよび第２のネットワークノードは各々回線ネットワークノードを含むことと、
第３のネットワークノードはパケットネットワークノードを含むことと、
実行工程は、第１のネットワークノードがシグナリングを実行し、第１のネットワークノードから第２のネットワークノードへリモートユニットを伴う回線サービスのハンドオフを行うことを含むことと、を含む請求項１０に記載の方法。
【請求項１４】
もはや第１のネットワークノードがリモートユニットにアクセスネットワークサービスを提供していないことを示すインジケーションを第３のネットワークノードが受信する工程と、
第３のネットワークノードが、インジケーションの受信に応答して、パケットデータサービス通知のために第１のネットワークノードにおけるリモートユニットの関連付けを解消する工程と、を含む請求項１３に記載の方法。
【請求項１５】
第１のネットワークノードおよび第２のネットワークノードは各々パケットネットワークノードを含むことと、
第３のネットワークノードは回線ネットワークノードを含むことと、
実行工程は、第１のネットワークノードがシグナリングを実行し、第１のネットワークノードから第２のネットワークノードへリモートユニットのアクティブパケットデータサービス、ドーマントパケットデータサービスおよびアイドルパケットデータサービスのうちの１つ以上のハンドオフを行うことを含むことと、を含む請求項１０に記載の方法。
【請求項１６】
実行工程は、第１のネットワークノードがシグナリングを実行し、第１のネットワークノードから第２のネットワークノードへのリモートユニットのセッション／コンテキストの転送をサポートすることを含む請求項１０に記載の方法。
【請求項１７】
ネットワークノードであって、
トランシーバと、
ネットワークインタフェースと、
トランシーバおよびネットワークインタフェースに通信可能に結合された処理装置と、を備え、処理装置は、
トランシーバおよびネットワークインタフェースのうちの１つ以上を介してシグナリングを実行し、ソースネットワークノードから前記ネットワークノードへリモートユニットを伴うサービスのハンドオフを行い、
ネットワークインタフェースを介して別のネットワークノードへ、前記ハンドオフに関連したシグナリングの結果として、現在では前記ネットワークノードがリモートユニットにアクセスネットワークサービスを提供していることを示し、
前記ネットワークノードは、前記別のネットワークノードが利用するのとは異なるアクセスネットワーク技術を用いて、リモートユニットにアクセスネットワークサービスを提供する、ネットワークノード。
【請求項１８】
ＣＤＭＡ２０００  １ｘ、ＨＲＰＤ、ＷｉＭＡＸおよびＩＥＥＥ８０２．ｘベースの技術から選択されるアクセス技術を利用することによって、リモートユニットにアクセスネットワークサービスを提供する、請求項１７に記載のネットワークノード。
【請求項１９】
ネットワークノードであって、
トランシーバと、
ネットワークインタフェースと、
トランシーバおよびネットワークインタフェースに通信可能に結合された処理装置と、処理装置は、
トランシーバおよびネットワークインタフェースのうちの１つ以上を介してシグナリングを行い、前記ネットワークノードからターゲットネットワークノードへリモートユニットを伴うサービスのハンドオフを行うこと、および、
トランシーバを介して、もはや第１のネットワークノードがリモートユニットにアクセスネットワークサービスを提供していないことを検出すること、のうちの一方を実行し、
ネットワークインタフェースを介して別のネットワークノードへ、シグナリングおよび検出のうちの一方の実行の結果として、もはや前記ネットワークノードがリモートユニットにアクセスネットワークサービスを提供していないことを示し、
前記ネットワークノードは、前記別のネットワークノードが利用するのとは異なるアクセスネットワーク技術を用いて、リモートユニットにアクセスネットワークサービスを提供する、ネットワークノード。
【発明の詳細な説明】
【技術分野】
【０００１】
本発明は通信システムに関し、詳細には、技術間ネットワークにおけるモビリティのサポートに関する。
【背景技術】
【０００２】
オペレータは回線−パケット技術間ネットワークの展開を開始している。回線−パケット技術間ネットワークでは、「デュアルモード」移動局デバイス、すなわち、２つのアクセスネットワーク技術を介して回線ＲＡＮ（無線接続ネットワーク）およびパケットデータＲＡＮの両方と通信可能なハイブリッド移動体を介して、ユーザへ回線ＲＡＮが回線サービスサポートを供給し、パケットデータＲＡＮがパケットデータサービスサポートを供給する。
【０００３】
回線サービスサポートには、通常、従来の回線音声サービス、ショートメッセージサービス（ＳＭＳ）などが含まれ、パケットデータサービスには、ＶｏＩＰ（ボイス・オーバ・ＩＰ）、テレビ電話（Ｖｉｄｅｏ  Ｔｅｌｅｐｈｏｎｙ）、インスタントメッセージ（Ｉｎｓｔａｎｔ  Ｍｅｓｓａｇｉｎｇ）、電子メールなどのインターネットアプリケーションに対するサポートが含まれる。
【０００４】
回線ＲＡＮには、例えば、３ＧＰＰ２  Ａ．Ｓ０００１１−ＣＳ０００８−ＡおよびＡ．Ｓ０００９−Ａにより規定されるｃｄｍａ２０００  １ｘ  ＲＡＮや、他の何らかのＩＥＥＥ８０２．ｘベースのパケットデータネットワーク（例えば、８０２．１６）が含まれる。
【０００５】
図１は、従来技術による無線通信システム１００のブロック図である。図１には、回線ＲＡＮが回線音声サービスサポートを提供し、ＨＲＰＤ、ＷｉＭＡＸまたは他のＩＥＥＥ８０２．ｘベースのパケットデータネットワークなどのパケットデータＲＡＮがデュアル技術移動体のユーザにパケットデータサービスを提供する、回線−パケット技術間ネットワークを示す。ここでは、回線ネットワークがパケットデータサービスをサポートしないと仮定している。
【０００６】
図２および図７はそれぞれ、回線ＲＡＮが回線音声サービスサポートを提供し、ＨＲＰＤ  ＲＡＮがデュアルモード移動体のユーザにパケットデータサービスを提供する、３ＧＰＰ２  Ａ．Ｓ０００８−Ｂ，Ａ．Ｓ０００９−Ｂ技術間ネットワーク２００，７００のブロック図である。ＩＷＳ機能（Ａ．Ｓ０００８−Ｂにより規定される）は、例えば、１ｘ  ＢＳまたはＨＲＰＤ  ＡＮと同じ位置に存在してもよく、独立したエンティティとして存在してもよい。ＩＷＳ機能が１ｘ  ＢＳと同じ位置に存在するとき、Ａ２１インタフェースは１ｘ  ＢＳおよびＨＲＰＤ  ＡＮを終端とする。ＩＷＳ機能がＨＲＰＤ  ＡＮと同じ位置に存在するとき、Ａ１／Ａ１ｐインタフェースはＨＲＰＤ  ＲＡＮによってサポートされ、ＭＳＣおよびＨＲＰＤ  ＡＮを終端とし、Ａ２１インタフェースはＨＲＰＤ  ＡＮに内部に存在する。ＩＷＳが独立したエンティティとして存在するとき、Ａ１／Ａ１ｐおよびＡ２１インタフェースはＨＲＰＤ  ＲＡＮによってサポートされる。Ａ１／Ａ１ＰインタフェースはＭＳＣおよびＩＷＳを終端とし、Ａ２１インタフェースはＩＷＳおよびＨＲＰＤ  ＡＮを終端とする。
【０００７】
これらの種類の回線−パケット技術間ネットワークでは、デュアルモード移動体は一度に１つのエアインタフェースからの着信シグナリングを監視することしかできないので、呼に現在アクティブなデュアルモード移動体は、通常、対応する相互接続サービングＲＡＮによって「クロス・ページング（ｃｒｏｓｓ−ｐａｇｅｄ）」される。回線ＲＡＮとパケットデータＲＡＮとの間のメッセージは、技術間シグナリングインタフェース（例えば、Ａ２１接続）を通じて交換される。例えば、回線ネットワークから発するメッセージは、回線ＲＡＮにおける回線ノードによって、パケットデータＲＡＮにおいて移動体にパケットデータサービスを提供しているパケットデータノードへ、技術間インタフェースを通じて送信される。「３Ｇ１Ｘネットワークと無線パケットデータネットワークとの間のインターオペラビリティを達成する方法および装置（ＭＥＴＨＯＤ  ＡＮＤ  ＡＰＰＡＲＡＴＵＳ  ＴＯ  ＦＡＣＩＬＩＴＡＴＥ  ＩＮＴＥＲ−ＯＰＥＲＡＢＩＬＩＴＹ  ＢＥＴＷＥＥＮ  Ａ  ３Ｇ１Ｘ  ＮＥＴＷＯＲＫ  ＡＮＤ  Ａ  ＷＩＲＥＬＥＳＳ  ＰＡＣＫＥＴ  ＤＡＴＡ  ＮＥＴＷＯＲＫ）」と題する米国特許出願第１１／１４１９２６号を、１ｘ回線ネットワークからの着信回線音声呼についてどのようにパケットＲＡＮに通知するかに関する例として参照することができる。
【０００８】
複数のネットワークが効果的かつ効率的に多モード移動体にサービスを提供するには、サービスの提供に関与するネットワークによって移動体のモビリティが適切にサポートされる必要がある。換言すると、そのようなシステム内において移動体が１つのサービスエリアから次のサービスエリアへ移動するとき、各オーバレイネットワークのネットワークノードがその移動体を適切に追跡する必要がある。移動体のモビリティが適切にサポートされない場合、移動体がシステムの全体を通じて移動するとき、クロス・ページングなどの機能は効果的かつ効率的に動作しない。したがって、技術間ネットワークにおいてモビリティをサポートする方法および装置を有することが非常に所望される。
【図面の簡単な説明】
【０００９】
【図１】従来技術による無線通信システムのブロック図。
【図２】回線ＲＡＮが回線音声サービスサポートを提供し、ＨＲＰＤ  ＲＡＮがパケットデータサービスを提供する、従来技術による３ＧＰＰ２  Ａ．Ｓ０００８−Ｂ技術間ネットワークのブロック図。
【図３】本発明の複数の実施形態による無線通信システムのブロック図。
【図４】本発明の複数の実施形態による回線−パケット技術間通信システムのブロック図。
【図５】本発明の複数の実施形態による、第１のパケットデータ（ＰＤ）ノードから第２のパケットデータ（ＰＤ）ノードへアクティブなパケットデータセッションのハンドオフを行う移動体を示す、代表的なシグナリングフロー図。
【図６】本発明の複数の実施形態による、第１の回線ネットワークノードから第２の回線ネットワークノードへアクティブな回線音声サービスのハンドオフを行う移動体を示す、代表的なシグナリングフロー図。
【図７】回線ＲＡＮが回線音声サービスサポートを提供し、ＨＲＰＤ  ＲＡＮがパケットデータサービスを提供する、従来技術による３ＧＰＰ２  Ａ．Ｓ０００９−Ｂ技術間ネットワークのブロック図。
【発明を実施するための形態】
【００１０】
技術間ネットワークにおいてモビリティをサポートするための様々な実施形態について記載する。そのようなネットワークには、様々なアクセス技術を利用する、またあるいはカバレッジエリアが重なり合うが整合してはいない、複数の相互接続されたアクセスネットワークが含まれる。従来技術では、リモートユニットは、１つのサービスカバレッジエリアまたは登録領域から次のサービスカバレッジエリアまたは登録領域へ移動するとき、様々なアクセスネットワークの各々について、登録シグナリングを発信する。対照的に、本発明の実施形態ではネットワークが発信するシグナリングを利用して、複数のアクセスネットワークのうちの１つが認識されるが他のアクセスネットワークは認識されない場合もあるモビリティイベントに関し、重なり合うネットワーク／ネットワークノードを更新する。
【００１１】
開示の実施形態は、図３〜６を参照することによって、より完全に理解される。図３は、本発明の複数の実施形態による無線通信システム３００のブロック図である。現在、ＯＭＡ（Ｏｐｅｎ  Ｍｏｂｉｌｅ  Ａｌｌｉａｎｃｅ）、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２（３ｒｄ  Ｇｅｎｅｒａｔｉｏｎ  Ｐａｒｔｎｅｒｓｈｉｐ  Ｐｒｏｊｅｃｔ  ２）およびＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２などの標準機構が、無線通信システム用の標準仕様を開発している（これらの団体には、それぞれ、ｈｔｔｐ：／／ｗｗｗ．ｏｐｅｎｍｏｂｉｌｅａｌｌｉａｎｃｅ．ｃｏｍ、ｈｔｔｐ：／／ｗｗｗ．３ｇｐｐ．ｏｒｇ／、ｈｔｔｐ：／／ｗｗｗ．３ｇｐｐ２．ｃｏｍ／、ｈｔｔｐ：／／ｗｗｗ．ｉｅｅｅ８０２．ｏｒｇ／を介して連絡することができる。）。通信システム３００は、本発明を実装するように適切に修正された、１つ以上の３ＧＰＰ２および／またはＩＥＥＥ８０２技術によるアーキテクチャを有するシステムである。例えば、アクセスネットワーク１（デバイス１２０〜１２２によって示す）は、ＣＤＭＡ２０００  １ｘ、ＨＲＰＤ（Ｈｉｇｈ  Ｒａｔｅ  Ｐａｃｋｅｔ  Ｄａｔａ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）またはＩＥＥＥ８０２．ｘベースの技術などに基づくアーキテクチャを有し、アクセスネットワーク２（デバイス１３０，１３１，１３３によって示す）は、このリストとは異なる技術に基づくアーキテクチャを有する。明らかに、単に上記のリストから選択することによっても、多くの技術の組み合わせが可能である。また、本発明の代替の実施形態は、以下に限定されないが、３ＧＰＰ仕様書に記載の技術など、他のまたは追加の技術を用いる通信システムに実装されてもよい。
【００１２】
通信システム３００について、非常に一般化して示す。詳細には、ネットワークノード１２１，１２２は、それぞれ無線インタフェース１１１，１１２を介してリモートユニット１０１と通信を行うように示されている。これらのインタフェースは、アクセスネットワーク１によって利用される特定のアクセス技術に従う。同様に、ネットワークノード１３１，１３３は、それぞれ無線インタフェース１１５，１１６を介して通信を行うように示されている（図３には示していないが、リモートユニット１０１を含む場合もあるリモートユニットと）。これらのインタフェースは、アクセスネットワーク２によって利用される特定のアクセス技術に従う。図３にはシステム３００が動作するのに必要であり得る物理的な固定のネットワーク構成要素のすべてが示されているのではなく、本明細書における実施形態の記載に特に関連するシステム構成要素および論理的なエンティティのみが示されていることが、当業者には認められる。
【００１３】
例えば、図３には、ネットワークノード１２１，１２２を、それぞれ処理装置１２３，１２４、トランシーバ１２５，１２６、およびネットワークインタフェース１２７，１２８を備えるように示す。一般に、処理装置、トランシーバおよびネットワークインタフェースなどの構成要素は周知である。例えば、処理装置は、マイクロプロセッサ、マイクロコントローラ、メモリ装置、特定用途向け集積回路（ＡＳＩＣ）、および論理回路（これらに限定されず、また必ずしも必要ではない）のうちの１つ以上などの基本的な構成要素を含むことはよく知られている。そのような構成要素は、通常、高度設計言語もしくは記述、コンピュータ命令、シグナリングフローチャート、および論理フローチャートのうちの１つ以上を用いて表現された、アルゴリズム、プロトコルまたはその両方を実装するように適合されている。
【００１４】
すなわち、高度記述、アルゴリズム、論理フロー、メッセージ／シグナリングフロー、およびプロトコル仕様のうちの１つ以上が与えられれば、当業者には、与えられた論理を実行する処理装置を実装するために利用可能な多くの設計・開発技術が認識される。したがって、ネットワークノード１２１，１２２は、本明細書の記載にしたがって、本発明の複数の実施形態を実装するように適合された周知の装置を表す。さらに、本発明の態様は様々な物理的な構成要素において、また様々な物理的な構成要素を通じて実装されてよく、必ずしも単一のプラットフォームの実装に限定されないことが、当業者には認められる。例えば、ネットワークノードは、基地局トランシーバ（ＢＴＳ）、基地局コントローラ（ＢＳＣ）またはその両方、あるいはＨＲＰＤ  ＡＮ、ＰＣＦまたはその両方など１つ以上のＲＡＮ構成要素において、または１つ以上のＲＡＮ構成要素にわたって実装されてもよく、アクセスサービスネットワーク（ＡＳＮ）ゲートウェイ、ＡＳＮ基地局（ＢＳ）またはその両方、アクセスポイント（ＡＰ）、ワイドバンド基地局（ＷＢＳ）、ＷＬＡＮ（無線ローカルエリアネットワーク）局またはそれらのうちの１つ以上など、１つ以上のアクセスネットワーク（ＡＮ）構成要素において、または１つ以上のＡＮ構成要素またはＡＮ構成要素を通じて実装されてよい。
【００１５】
リモートユニット１０１およびネットワークノード１２１，１２２が、技術に応じた無線インタフェースを介して通信を行っているように示す。リモートユニット、加入者局（ＳＳ）またはユーザ機器（ＵＥ）は、移動局（ＭＳ）と見なすことができる。しかしながら、リモートユニットは必ずしも移動体でも移動可能でもない。また、リモートユニットプラットフォームは、次に限定されないが、移動局（ＭＳ）、アクセスターミナル（ＡＴ）、端末装置、移動体デバイス、ゲーム装置、パーソナルコンピュータおよび携帯情報端末（ＰＤＡ）など、多種多様な民生電子プラットフォームを表すものとして知られている。詳細には、リモートユニット１０１は、処理装置（図示せず）およびトランシーバ（図示せず）を含む。実施形態によっては、リモートユニット１０１は、これに加えて、キーパッド（図示せず）、スピーカ（図示せず）、マイクロホン（図示せず）およびディスプレイ（図示せず）を備える場合がある。リモートユニットにおいて用いられる処理装置、トランシーバ、キーパッド、スピーカ、マイクロホンおよびディスプレイはすべて、当技術において周知である。
【００１６】
本発明による実施形態の動作は、ほぼ以下のように行われる。最初に図３を参照する。ネットワークノード１２１の処理装置１２３は、アクセスネットワーク１およびネットワークノード１２１が利用するアクセス技術の機能（あるいは構成）に従いリモートユニット１０１に通信サービスを提供する。リモートユニット１０１がネットワークノード１２１からネットワークノード１２２へ移動するとき、モビリティのイベントが発生する。ネットワークノード１２１がリモートユニット１０１に提供していたサービス（あるいは複数のサービス）のハンドオフが行われる。なお、モビリティイベントは、アクティブまたはドーマント／アイドル状態において１つ以上のサービスに関連付けられてよい。これを行うために、処理装置１２３，１２４は、トランシーバ１２５，１２６（リモートユニット１０１と）、ネットワークインタフェース１２７，１２８（互いと、他のデバイス１２０とまたはその両方と）を介して、技術に応じたシグナリングを実行し、リモートユニット１０１を伴うサービスをネットワークノード１２１からネットワークノード１２２へとハンドオフさせる。このように、ハンドオフシグナリングは、アクティブ、ドーマントまたはアイドルモードのサービスをハンドオフさせるためのシグナリングであってよい。サービスのハンドオフ（またはハンドオーバ）を行う処理の完了または他の何らかの様相、あるいはもはやネットワークノード１２１がリモートユニット１０１にネットワークアクセスを提供していないこと（リモートユニット１０１の出力低下またはリモートユニット１０１の無線信号の喪失（例えば、ＲＦロス）などの状況）の検出によってトリガが行われ、処理装置１２３は、ネットワークインタフェース１２７を介してネットワークノード１３１へ、もはやネットワークノード１２１がリモートユニット１０１にネットワークアクセスを提供していないことを示す。
【００１７】
この例示においては、ネットワークノード１２１，１３１は少なくとも部分的に重なり合うカバレッジエリアを有するものとする。また、それらのネットワークノードは、異なるアクセスネットワーク技術を用いてリモートユニット１０１にネットワークアクセスを提供するものとする。したがって、アクセスネットワーク２は、ノード１２１がリモートユニット１０１にサービス提供しているとき、ネットワークノード１３１およびネットワークノード１２１を介してリモートユニット１０１へ信号を送ることを試みる。これは、例えば、上述のようにクロス・ページングの形態を取ってもよい。しかしながら、リモートユニット１０１がノード１２１に代えてノード１２２からサービスを取得し始めると、アクセスネットワーク２がネットワークノード１３１およびネットワークノード１２１を介してリモートユニット１０１へ信号を送ることは望ましくない。そのような試みは失敗し、その処理のシグナリングリソースを浪費することになるであろう。
サービスのハンドオフ／ハンドオーバを行う処理の完了または他の何らかの様相によってトリガが行われ、処理装置１２４は、ネットワークインタフェース１２８を介してネットワークノード１３３へ、現在ではネットワークノード１２２がリモートユニット１０１にネットワークアクセスを提供していることを示す。したがって、この更新された情報によって、このときアクセスネットワーク２は、ノード１３１，１２１に代えてノード１３３およびノード１２２を介してリモートユニット１０１へ信号で送ることを試み、それによって成功の見込みを増大させることができる。上述においては、ネットワークノード１２２がノード１３３にインジケーションを送信する。しかしながら、それぞれのカバレッジエリアの特定のトポロジーに応じて、ノード１２２は、ノード１３３に代えてノード１３１へ、このときネットワークノード１２２がリモートユニット１０１にネットワークアクセスを提供していたことを示すことができる。
【００１８】
ノード１２２，１３３のカバレッジエリアがほぼ整合されているシステム構成では、リモートユニット１０１は、アクセスネットワーク１のサービスの目的でノード１２２のカバレッジエリアに入るとき、アクセスネットワーク２のサービスの目的でノード１３３のカバレッジエリアに入る。したがって、この場合、ノード１２２はノード１３３にインジケーションを送信する。ノード１２２，１３１のカバレッジエリアが部分的にしか重なり合わないシステム構成では、リモートユニット１０１は、ノード１２２のカバレッジエリアに入るとき、ノード１３１のカバレッジエリアに残る場合がある。したがって、そのような場合、ノード１２２はノード１３１にインジケーションを送信する。
【００１９】
本発明の様々な態様を形成および使用する際にさらに多くの教示を与えるために、一定の実施形態についてより詳細に以下に説明する。詳細には、これらの実施形態は、回線−パケットデュアル技術ネットワークにおいて発見された幾つかの問題に関して説明される。しかしながら、以下に記載の問題および解決策は、３ＧＰＰ２およびＰＰ２−ＩＥＥＥ／ＷｉＭＡＸ技術間ネットワーク、すなわち、パケット−パケット技術間ネットワークや回線−パケット技術間ネットワークに存在し、一般にそれらのネットワークに適用可能である。
【００２０】
図４は、本発明の複数の実施形態による回線−パケット技術間通信システム４００のブロック図である。問題１の説明は次の通りである。すなわち、図４では、ユーザは、ＨＲＰＤ  ＲＡＮにおけるアクティブなパケットデータ呼の最中に、パケットデータＲＡＮ内でＰＤ  ＮＯＤＥ１（サブネット１）から新たなＰＤ  ＮＯＤＥ２（サブネット２）へ移動する。この移動体は、現在、ＰＤ  ＲＡＮにおけるＰＤ  ＮＯＤＥ２のドメイン下のサブネット２にあり、また場合によっては、１ｘ  ＲＡＮにおける新たな１ｘＢＳ２／ＩＷＳ２のドメイン下の新たな１ｘロケーションエリア２にもある。次のいくつかのシナリオが可能である。
【００２１】
ａ）１ｘロケーションエリアが変化していない場合、すなわち、移動体が依然として１ｘＢＳ１／ＩＷＳ１ドメイン下の１ｘロケーションエリア１にある場合、ロケーションエリアが変化していないので、移動体は、ＣＳＮＡプロトコルを介した無線による１ｘ登録を実行しない。［注記：１ｘ移動体登録は３ＧＰＰ２  Ｃ．Ｓ０００５に記載されており、ＨＲＰＤ  ＣＳＮＡプロトコルは３ＧＰＰ２／Ｃ．Ｓ００２４−Ａにより規定されている］。
【００２２】
ｂ）モビリティの結果、デュアルモード移動体がサブネット２へ移動し、新たなＰＤ  ＮＯＤＥ２および新たなロケーションエリア（ノード１ｘＢＳ２／ＩＷＳ２のドメインの下の１ｘロケーションエリア２）のドメイン下にあり、ＨＲＰＤ  ＲＡＮとのパケットデータの交換に忙しい場合、移動体は、１ｘエアインタフェースを監視せず、したがってＣＳＮＡを介した無線による１ｘ登録を実行しない（移動体がそのように構成されていると仮定する）ので、１ｘＢＳ２／ＩＷＳ２のドメイン下にあることを認識しない。
【００２３】
ｃ）デュアルモード移動体は、新たな１ｘ  ＢＳ／ロケーションエリアへ移動した後に登録（ＣＳＮＡを介する）を実行するように構成されない場合がある（例えば、距離または時間ベースの登録など別の登録トリガが有効である場合がある。Ｃ．Ｓ０００５を参照）。
【００２４】
ｄ）「３Ｇ１Ｘネットワークと無線パケットデータネットワークとの間のインターオペラビリティを達成する方法および装置」と題する米国特許出願第１１／１４１９２６号に記載のように、移動体がＣＳＮＡを介して無線により１ｘ登録を実行するように構成されており、登録が１ｘ  ＲＡＮへ転送される場合、あるいは、ＨＲＰＤ内ハンドオフの発生後、ＰＤ  ＮＯＤＥ２がデュアルモード移動体に代わって１ｘ登録を実行し、現在、デュアルモード移動体が１ｘＢＳ２／ＩＷＳ２ドメイン下にあることを１ｘＲＡＮのＭＳＣおよび１ｘＢＳ２／ＩＷＳ２が認識する場合、１ｘＢＳ１／ＩＷＳ１は、もはや移動体が自身のドメイン、すなわち、ＰＤ  ＮＯＤＥ１ドメインの下に存在しないことを依然として認識しない。
【００２５】
ｅ）移動体がＰＤ  ＮＯＤＥ３のドメイン下の新たなサブネット（サブネット３）へ向かってパケットデータＲＡＮのカバレッジエリア内へ深く移動し、もはや１ｘカバレッジを有しない、すなわち、技術間の継ぎ目（ｓｅａｍ）から離れ、もはやいかなる１ｘＢＳ／ＩＷＳのドメインの下にもないとき、移動体はアイドルとなった後にＣＳＮＡ  １ｘ登録を送信せず（移動体がそのように構成されていると仮定する）、新たなターゲットＰＤ  ＮＯＤＥ３は、そこから１ｘ  ＲＡＮへのシグナリング接続が存在しないので、移動体の代わりに登録することは不可能である。
【００２６】
ｆ）発生し得るさらなるシナリオは、パケットデータネットワークにおけるモビリティの後、デュアルモード移動体が１ｘネットワークに戻る場合（すなわち、現在では移動体が１ｘオーバヘッドシグナリングチャネルを監視している）である。移動体はモビリティの後にターゲット１ｘＢＳ２のリスニングを行う。１ｘＢＳ１／ＩＷＳ１がブロードページの結果としてデュアルモード移動体についてのＭＳＣからページ要求を受信するとき（ＭＳＣは複数の１ｘＢＳにページングを行い、移動体を見つける見込みを増大させる）、移動体が現在監視している１ｘエアインタフェースを通じてページ要求を転送する代わりに、１ｘＢＳ１／ＩＷＳ１は、依然としてデュアルモード移動体をＰＤ  ＮＯＤＥ１に対しマッピングする登録情報を維持し、移動体がそこに位置すると考えるので、ＰＤ  ＮＯＤＥ１へページを転送する。これによって、１ｘＢＳ１／ＩＷＳ１におけるページングリソースの浪費や、技術間インタフェースの通信インタフェースを通じた不必要なシグナリングが生じる。
【００２７】
これらのシナリオのすべてにおいて、１ｘＢＳ１／ＩＷＳ１が１ｘ  ＭＳＣからページング要求を受信し、米国特許出願第１１／１４１９２６に号に記載されているような技術間インタフェースを介するデュアルモード移動体のための着信回線音声呼をＨＲＰＤ  ＲＡＮにおけるＰＤ  ＮＯＤＥ１に通知するとき、ＨＲＰＤ  ＮＯＤＥ１は、もはやその移動体のパケットデータセッションをサポートしておらず、もはや移動体または自身の位置に関する情報を有しないので、１ｘＢＳ１／ＩＷＳ１からのクロス・ページング通知を拒否する。このように、１ｘ  ＲＡＮは、このモビリティについて通知を受け、１ｘＢＳ１／ＩＷＳ２から移動体の登録が抹消されるので、もはやＰＤ  ＲＡＮを介して回線音声サービスについてこの移動体のページングを試みないことは重要である。
【００２８】
移動体にサービスを提供するＰＤノードが複数の１ｘＢＳを覆い、したがって、複数のＡ２１接続を介して複数の１ｘＢＳに接続する場合がある。ＨＲＰＤ  ＰＤシステムにおいて、ＨＲＰＤ  ＰＤ  ＮＯＤＥは、移動体が新たなサブネットへ移動するときに送信されるＣ．Ｓ００２４−Ａ  ＲｏｕｔｅＵｐｄａｔｅメッセージにより受信されるＲｏｕｔｅＵｐｄａｔｅＴｈｇｇｅｒＣｏｄｅに基づき、いずれの１ｘＢＳ／Ａ２１接続でパケットデータサービスのページングを行うためのメッセージを送信するかを決定する。
【００２９】
したがって、１ｘ  ＲＡＮに対する接続が存在するとき、すなわち、デュアルモード移動体がパケットデータＲＡＮの内で新たなパケットデータノード（またはパケットデータサブネット）へ移動したとき、または１ｘ  ＲＡＮへ戻ったとき、ソース１ｘＢＳ／ＩＷＦが通知され、パケットデータＲＡＮへのページングの転送を停止するように、１ｘ  ＲＡＮ、詳細には、１ｘ  ＭＳＣ、ソースＢＳ（１ｘＢＳ１）およびターゲットＢＳ（１ｘＢＳ２）に通知する方法が明らかに必要である。
【００３０】
問題２の説明は次の通りである。すなわち、ＰＤ  ＲＡＮに繋がれているパケットデータセッションを有するデュアルモード移動体は、１ｘエアインタフェースシグナリングを監視しながら１ｘ回線音声サービスを受信している場合がある。この移動体が新たな１ｘＢＳ２／ＩＷＳ２へのハンドオフを実行するとき、少なくとも次の３つの場合が存在する。
【００３１】
（ａ）移動体のパケットデータセッションが繋がれているＰＤ  ＮＯＤＥは古いＢＳ１／ＩＷＳ１および新たなＢＳ２／ＩＷＳ２の両方を覆っており、移動体は新たな１ｘＢＳへハンドオフを行うが、ＰＤのモビリティは発生しない（移動体は同じＰＤノードドメインにある）。
【００３２】
（ｂ）新たな１ｘＢＳへの１ｘモビリティの結果、移動体はＰＤ  ＮＯＤＥ１からＰＤ  ＮＯＤＥ２のドメインへ移動している。
（ｃ）新たな１ｘＢＳへの１ｘモビリティの結果、移動体は技術間の継ぎ目から離れ、ＢＳ３のドメイン下のロケーションエリア３へ移動しており、もはやパケットデータネットワークのＰＤ  ＮＯＤＥのドメイン下にはなく、もはやパケットデータネットワークに戻ってパケットデータサービスを受信することは不可能である。
【００３３】
（ａ）の場合については、ＰＤ  ＲＡＮが１ｘモビリティを認識しない。パケットデータがＰＤ  ＮＯＤＥ１にて移動体に到達する場合（例えばテレビ電話呼）、ＰＤ  ＮＯＤＥ１はＨＰＲＤパケットデータサービス（移動体が位置するとＰＤ  ＮＯＤＥ１の考える）についてその移動体にページングを行うよう１ｘＢＳ１に要求する。移動体はもはや１ｘＢＳ１／ＩＷＳ１ドメインに登録されていない、すなわち、１ｘＢＳ１／ＩＷＳ１ドメイン下にないので、ＢＳ１がパケットデータサービスについて移動体にページングを行おうとすると、そのページングは失敗する。
【００３４】
（ｂ）の場合については、（ａ）の場合について記載した問題に加えて、データは、移動体の位置するＰＤ  ＮＯＤＥ  ２ではなくＰＤ  ＮＯＤＥ１にて移動体に到達する。ＢＳ２／ＩＷＳ２が、現在移動体は自身のドメイン下にあるとＰＤ  ＮＯＤＥ２に通知する場合、１ｘＢＳ２／ＩＷＳ２がＰＤサービスについて移動体にページングを行うことを要求されるとき、移動体はサービス用のＰＤ  ＮＯＤＥ２へ移動する。しかしながら、移動体はＰＤ  ＮＯＤＥ２に登録されていないので、パケットデータサービスの受信開始が可能となるには、最初に、ＰＤ  ＮＯＤＥ１からＰＤ  ＮＯＤＥ２へ、移動体のパケットデータセッション／コンテキスト情報のハンドオフが行われる必要がある。これは、パケットデータ呼の配信を遅延させるため、テレビ電話などのリアルタイムサービスには許容されない。
【００３５】
（ｃ）の場合には、１ｘモビリティの結果、移動体が技術間の継ぎ目から離れターゲット１ｘＢＳ３へ（すなわち、移動体がオーバレイパケットデータノードにパケットデータサービスについてページングを行うことや戻ることが不可能な１ｘネットワーク内深くに）移動している場合、また、データがＰＤ  ＮＯＤＥ１に到達し、パケットデータサービスについて移動体にページングを行うよう１ｘＢＳ１に要求する場合、移動体はもはや１ｘＢＳ１／ＩＷＳ１からのシグナリングを監視しておらず、パケットデータサービスについてのページングは失敗するので、移動体はページングを受信しない。また、何らかの理由でページングのルーティングに成功したとしても、移動体がパケットデータＲＡＮに戻ることが不可能である。
【００３６】
したがって、移動体が回線ネットワーク内で移動するときにＰＤ  ＲＡＮに通知を行う、次のような方法が明らかに必要である。すなわち、ａ）移動体が現在回線サービスを受信している新たな１ｘＢＳが、古い１ｘＢＳ１／ＩＷＳ１の代わりにパケットデータサービスについて移動体にページングを行うようＰＤノードによって要求される（移動体は依然としてパケットデータＲＡＮのオーバレイカバレッジ内にあると仮定する）、ｂ）新たなパケットデータノードおよび古いパケットデータノード（ＰＤ  ＮＯＤＥ１，ＰＤ  ＮＯＤＥ２）は、移動体のパケットデータセッション／コンテキスト情報は新たなパケットデータノードＰＤ  ＮＯＤＥ２（パケットデータサービスがＰＤ  ＲＡＮに到達する前に移動体がサービス提供される）へ移動可能であると通知される、ｃ）移動体がもはやパケットデータサービス用のＰＤ  ＲＡＮに戻ることが不可能である場合、ＰＤ  ＲＡＮへ通知が行われるので、ＰＤ  ＲＡＮはもはや移動体へページングを行わず、移動体のために予約しておいたパケットデータリソースを解放することもできる。
【００３７】
問題１に対処するために、ＰＤ  ＮＯＤＥ  １は移動体が自身のドメインを去ったことをＢＳ１に通知する。ＢＳ１は、その移動体についてのマッピング情報をクリアし、もはやＰＤ  ＮＯＤＥ１へメッセージを転送しない。ＰＤ  ＮＯＤＥ２は、１ｘネットワークに対する接続性を有する場合、複数のＢＳに接続されている場合に移動体から受信されるＲｏｕｔｅＵｐｄａｔｅＴｒｉｇｇｅｒＣｏｄｅに基づき、正しい１ｘＢＳ（あるいは新たなＢＳ）に、移動体が現在自身のドメイン下にあることを通知する。この１ｘＢＳ（新たな１ｘＢＳ２であり得る）は、移動体について新たなＰＤ  ＮＯＤＥ２およびＡ２１に対するマッピングを生成し、この移動体についての将来の１ｘシグナリングおよびメッセージを新たなＰＤ  ＮＯＤＥ２へ送信する。
【００３８】
図５は、本発明の複数の実施形態による、第１のＰＤノードから第２のパケットデータ（ＰＤ）ノードへアクティブなパケットデータセッションのハンドオフを行う移動体を示す、代表的なシグナリングフロー図である。以下は、図５の最も右の列にラベルを付したような時間に沿った、呼フローの詳細な説明である。
【００３９】
５０１。移動体はＰＤ  ＮＯＤＥ１からＰＤ  ＮＯＤＥ２へのハンドオフを開始する。
５０２。移動体のセッションおよびコンテキスト情報がソースＰＤ  ＮＯＤＥ１からターゲットＰＤ  ＮＯＤＥ２へ転送され、ＰＤ  ＮＯＤＥ２へのハンドオフが完了する。
【００４０】
５０３。ＰＤ  ＮＯＤＥ１は回線ネットワークＢＳ１にメッセージを送信し、もはや自身が移動体に対するパケットデータセッションをサポートしていないことを通知する。ＢＳ１は、ＰＤ  ＮＯＤＥ１および技術間インタフェース（Ａ２１）に対するマッピング情報をクリアする。ＢＳ１は、自身が受信する移動体に対するページングその他のメッセージを、もはやＰＤ  ＮＯＤＥ１へ転送しない。
【００４１】
５０４。ＰＤ  ＮＯＤＥ２はＢＳ２へメッセージを送信し、自身が移動体のパケットデータセッションをサポートしていると通知する。ＢＳ２は、ＰＤ  ＮＯＤＥ２、ＰＤ  ＮＯＤＥ２へのＡ２１接続またはその両方に対し、移動体をマッピングする。
【００４２】
（１ｘカバレッジエリアが変化しなかった場合、ＢＳ１およびＢＳ２は同じであることがある。この場合、移動体についての移動体マッピング情報は、単純に、新たなＰＤノード、新たなＰＤ  ＮＯＤＥ２にて終端となる技術間インタフェース（Ａ２１）またはその両方を指すように更新される。
【００４３】
問題２に対処するために、（ａ）および（ｂ）の場合、１ｘＢＳ２／ＩＷＳ２は、移動体が移動しているので、データがＰＤネットワークにおいて移動体に到達する場合、サービングＰＤ  ＮＯＤＥは、パケットデータサービスについて移動体にページングを行うよう新たな１ｘＢＳ２／ＩＷＳ２に通知する、とＰＤ  ＲＡＮに通知する。１ｘＢＳ２／ＩＷＳ２が複数のＨＲＰＤ  ＰＤ  ＮＯＤＥＳに接続している場合、１ｘＢＳ２／ＩＷＳ２は、３ＧＰＰ２／Ｃ．Ｓ００７５により規定されるサブネットカラーコードに基づき、どのＰＤ  ＮＯＤＥに通知するかを認識する。
【００４４】
（ｂ）の場合、移動体がＰＤ  ＮＯＤＥ２のドメインにあるとＰＤ  ＮＯＤＥ２がＡ２１を介して通知された後、ＰＤ  ＮＯＤＥ２は、移動体が自身のドメインを去ったとＰＤ  ＮＯＤＥ１に通知する。随意では、ＰＤ  ＮＯＤＥ２は、（ＨＲＰＤ用のＡ１３またはＷｉＭＡＸ用のＲ４）を通じてセッション／コンテキスト転送を開始する。これはまた、移動体についてのマッピング情報（Ａ２１またはＢＳマッピングに対する移動体）をクリアすることが可能であると古いＰＤ  ＮＯＤＥ１に通知するようにも機能する。これによって、移動体が迅速にパケットデータ呼に再接続することを可能とすることにより、そのセッション／コンテキスト情報を通じて新たなパケットデータノードへ転送を行うために最初にドーマントモードハンドオフを開始する必要がないことで、パケットデータサービスが強化される。
【００４５】
（ｃ）の場合、移動体が技術間の継ぎ目から離れて新たな１ｘＢＳ２へ移動しており、もはやパケットデータサービスを受信することが不可能である場合（この場合、１ｘＢＳ２は移動体へのＡ２１接続を有しないことがある）、古い１ｘＢＳ１はＰＤ  ＲＡＮ（詳細には、ＰＤ  ＮＯＤＥ  １）に通知を行い、データが自身に到達するときにもはやパケットデータサービスについて移動体にページングをしようと試みない。移動体が１ｘＢＳ１から１ｘＢＳ２へハンドオフを行うとき、１ｘＢＳ１は、移動体がそのカバレッジを出たことの通知をＰＤ  ＮＯＤＥ１へ送信する。ＰＤ  ＮＯＤＥ  １は、その移動体についてのマッピング情報をクリアし、もはや１ｘＢＳ１または任意の１ｘＢＳを介してパケットデータサービスについて移動体にページングを行うことを要求しない。
【００４６】
図６は、本発明の複数の実施形態による、第１の回線ネットワークノードから第２の回線ネットワークノードへアクティブな回線音声サービスのハンドオフを行う移動体を示す、代表的なシグナリングフロー図である。以下は、図６の最も右の列にラベルを付したような時間に沿った、呼フローの詳細な説明である。
【００４７】
６０１。回線ネットワークにおいてＢＳ１からＢＳ２への移動体回線音声呼のハンドオフが行われる。
６０２。回線音声ハンドオフの完了に成功すると、ソースＢＳ１／ＩＷＳ１（以前に呼をサポートしていた）は、もはや移動体が自身のカバレッジ領域にないとＰＤ  ＮＯＤＥ１に通知する。ＰＤ  ＮＯＤＥ１は、その呼についてのマッピング情報をクリアする。新たなＰＤ  ＮＯＤＥにて登録通知が受信されるまで、パケットデータネットワークは、もはやパケットデータサービスについてのページングを要求しない（移動体がパケットデータカバレッジエリアを出た場合、すなわち、場合（ｃ）を含む）。
【００４８】
６０３。回線音声ハンドオフの完了に成功すると、現在、移動体についての回線音声呼をサポートしているターゲットＢＳ２は、移動体が現在そのドメイン内にあるＰＤ  ＮＯＤＥ２にメッセージを送信する。（ＢＳ２は、ＰＤ  ＮＯＤＥ２への単一の技術間インタフェースによって、あるいはそれが複数のＰＤ  ＮＯＤＥに対する複数の技術間インタフェースをサポートする場合、Ｃ．Ｓ００７５により規定されるサブネットカラーコードに基づき、いずれのパケットデータノードへメッセージを送信するかについて認識する。）
６０４。ＰＤ  ＮＯＤＥ２は、ＰＤ  ＮＯＤＥ１からＰＤ  ＮＯＤＥ２への移動体セッション／コンテキスト転送を開始することができる。これによってパケットデータＲＡＮが用意されるので、移動体がパケットデータＲＡＮに戻った後、ハンドオフが実行される必要はない。
【００４９】
（パケットデータカバレッジエリア（サブネット）が変化しなかった場合、ＰＤ  ＮＯＤＥ２はＰＤ  ＮＯＤＥ１と同じであることがある。この場合、ＰＤ  ＮＯＤＥ１は単純に、ＢＳ２およびそれを終端とするＡ２１接続に対する移動体についてののマッピング情報を更新する。
【図１】
2010504038.tif 000003
【図２】
2010504038.tif 000004
【図３】
2010504038.tif 000005
【図４】
2010504038.tif 000006
【図５】
2010504038.tif 000007
【図６】
2010504038.tif 000008
【図７】
2010504038.tif 000009
【国際調査報告】
2010504038.tif 000010